(57)【要約】【課題】  地面に対して正確に鉛直に打ち込むことが、人力により容易に行われ得る土木建築用杭を提供する。【解決手段】  杭本体１２の上端部に水準器２４を固定すると共に、その中間部に、被叩打部３８を、側方に向かって突出する状態で位置固定に設け、更に、該杭本体１２における該水準器２４の固定部位と該被叩打部３８との間の部分に、ハンマ部材５０を上下動可能に且つ下方への移動により該被叩打部３８を叩打し得るように外挿して、構成した。【選択図】      図  ２
2007077659.tif 000002
【特許請求の範囲】
【請求項１】
人力により地面に鉛直に打ち込まれて、土木建築工事に使用される土木建築用杭であって、
長手の棒材からなる杭本体と、
該杭本体の上端部に固定された水準器と、
前記杭本体の中間部に、側方に向かって突出する状態で位置固定に設けられた被叩打部と、
上下方向に延びる貫通孔を備えた硬質の重量物からなり、該貫通孔内に、前記杭本体における前記水準器の固定部位と前記被叩打部との間の部分が遊挿されることにより、該杭本体に対して、上下動可能に且つ下方への移動により該被叩打部を叩打し得るように外挿されたハンマ部材と、
を含んで構成したことを特徴とする土木建築用杭。
【請求項２】
前記水準器が、気泡式水準器である請求項１に記載の土木建築用杭。
【請求項３】
前記杭本体の上端部に、上方に開口する収容孔を備えた取付金具が固定され、前記水準器が、該取付金具に対して、該収容孔内に収容保持された状態で取り付けられることにより、該杭本体の上端部に固定されている請求項１又は請求項２に記載の土木建築用杭。
【請求項４】
前記ハンマ部材が、前記被叩打部を叩打する水平な叩打面を有する一方、該被叩打部が、該ハンマ部材にて叩打される水平な被叩打面を有している請求項１乃至請求項３のうちの何れか１項に記載の土木建築用杭。
【請求項５】
前記杭本体における前記水準器の固定部位よりも下側で且つ前記ハンマ部材の挿通部位よりも上側の部位に、第二の被叩打部が、側方に向かって突出する状態で位置固定に設けられて、前記ハンマ部材の上方への移動により、該第二の被叩打部が、該ハンマ部材にて叩打され得るようになっている請求項１乃至請求項４のうちの何れか１項に記載の土木建築用杭。
【発明の詳細な説明】
【技術分野】
【０００１】
本発明は、土木建築用杭に係り、特に、人力により地面に鉛直に打ち込まれて、土木建築工事に使用される土木建築用杭の改良に関するものである。
【背景技術】
【０００２】
よく知られているように、土木工事や建築工事等では、様々な工程を円滑に且つ精度良く進行せしめる上で、鉛直方向や水平方向に延びる基準線等が必要となる場合が多い。そこで、従来では、土木工事や建築工事等の実施に際して、杭を人力により地面に鉛直に打ち込み、この鉛直に打ち込まれた杭を基準として、鉛直線や水平線を得る作業が、一般に行われている。
【０００３】
例えば、基礎杭の打設工事を行う際には、基礎杭を埋設するための孔が、オーガー式掘削機を用いて、地面から鉛直に延びるように穿孔されることとなるが、通常、この穿孔作業に先立って、基礎杭の杭心から所定の距離を隔てて、９０°の位相差を有する二個所に、基礎杭とは別の杭が、人力により、地面に鉛直に打ち込まれる。そして、その後、鉛直に打ち込まれた二本の杭から掘削機のスクリュシャフトまでの距離が常に一定となっているか否かを確かめて、スクリュシャフトの杭心からのズレの有無を確認しつつ、穿孔作業が行われるのである。また、一般的な建築工事等においても、例えば丁張り（遣方）の設定に際して、所定の杭が、人力により、地面に鉛直に打ち込まれることとなる。
【０００４】
ところが、そのような土木工事や建築工事等において、杭を、人力により、地面に対して正確に鉛直に打ち込むことは、極めて困難であった。即ち、人力による杭打作業は、通常、作業者が、目測により、杭の鉛直度を確かめながら、ハンマや掛矢等にて、杭の頭部を叩打することによって行われるが、このとき、作業者は、目測によって、左右方向の傾きを比較的に容易に認知することが出来るものの、前後方向への傾きを認知することが極めて難しい。そのため、人力により杭を地面に打ち込む際には、杭が、前後方向に傾いてしまうことが、往々にしてあったのである。
【発明の開示】
【発明が解決しようとする課題】
【０００５】
ここにおいて、本発明は、上述せる如き事情を背景にして為されたものであって、その解決課題とするところは、人力により、地面に対して正確に鉛直に打ち込むことが、特別な道具等を何等用いることなく、容易に行われ得る土木建築用杭を提供することにある。
【課題を解決するための手段】
【０００６】
そして、本発明にあっては、かかる課題の解決のために、その要旨とするところは、人力により地面に鉛直に打ち込まれて、土木建築工事に使用される土木建築用杭であって、（ａ）長手の棒材からなる杭本体と、（ｂ）該杭本体の上端部に固定された水準器と、（ｃ）前記杭本体の中間部に、側方に向かって突出する状態で位置固定に設けられた被叩打部と、（ｅ）上下方向に延びる貫通孔を備えた硬質の重量物からなり、該貫通孔内に、前記杭本体における前記水準器の固定部位と前記被叩打部との間の部分が遊挿されることにより、該杭本体に対して、上下動可能に且つ下方への移動により該被叩打部を叩打し得るように外挿されたハンマ部材とを含んで構成したことを特徴とする土木建築用杭にある。
【０００７】
すなわち、この本発明に係る土木建築用杭においては、上端部に固定された水準器によって、杭本体を地面上において鉛直方向に延びるように、正確に直立させることが出来る。そして、そのような状態下で、ハンマ部材を上下動させて、被叩打部を叩打することにより、杭本体を地面に打ち込むことが出来る。しかも、水準器を目視して、この水準器により、杭本体の鉛直度を確かめながら、そのようなハンマ部材による杭本体の地面への打込み作業を行うことが出来る。
【０００８】
従って、このような本発明に従う土木建築用杭にあっては、ハンマや掛矢等、杭本体を叩打する道具や、杭本体を地面上において鉛直方向に延びるように直立させ、またその状態を維持させるための特別な道具等を何等用いることなく、人力により、地面に対して正確に鉛直に打ち込まれ得ることとなる。そして、その結果として、土木工事や建築工事等の実施に際して、鉛直に打ち込まれた杭を基準として、鉛直線や水平線を高精度に得る作業が、極めて容易に行われ得ることとなるのである。
【発明の態様】
【０００９】
ところで、本発明は、少なくとも、以下に列挙する如き各種の態様において、好適に実施され得るものである。
【００１０】
＜１＞  人力により地面に鉛直に打ち込まれて、土木建築工事に使用される土木建築用杭であって、（ａ）長手の棒材からなる杭本体と、（ｂ）該杭本体の上端部に固定された水準器と、（ｃ）前記杭本体の中間部に、側方に向かって突出する状態で位置固定に設けられた被叩打部と、（ｅ）上下方向に延びる貫通孔を備えた硬質の重量物からなり、該貫通孔内に、前記杭本体における前記水準器の固定部位と前記被叩打部との間の部分が遊挿されることにより、該杭本体に対して、上下動可能に且つ下方への移動により該被叩打部を叩打し得るように外挿されたハンマ部材とを含んで構成したことを特徴とする土木建築用杭。
【００１１】
＜２＞  上記の態様＜１＞において、前記水準器が、気泡式水準器であること。この本態様によれば、比較的に安価で且つコンパクトな水準器が用いられるため、水準器の設置によるコストの高騰と杭全体の大型化が極めて効果的に防止乃至は抑制され得る。
【００１２】
＜３＞  上記せる態様＜１＞又は態様＜２＞において、前記杭本体の上端部に、上方に開口する収容孔を備えた取付金具が固定され、前記水準器が、該取付金具に対して、該収容孔内に収容保持された状態で取り付けられることにより、該杭本体の上端部に固定されていること。この本態様によれば、取付金具が、その収容孔内に収容保持される水準器の保護部材として機能せしめられて、水準器が、かかる取付金具により、外部から加えられる衝撃に対して有利に保護され得る。それによって、例えば、打込み作業時に、杭が倒れてしまったときの衝撃や、運搬時等に、杭同士や杭以外の他の部材等との接触によって生ずる衝撃等によって、水準器が損傷せしめられるようなことが効果的に防止され得る。
【００１３】
＜４＞  上記せる態様＜１＞乃至は態様＜３＞のうちの何れか一つにおいて、前記ハンマ部材が、前記被叩打部を叩打する水平な叩打面を有する一方、該被叩打部が、該ハンマ部材にて叩打される水平な被叩打面を有していること。この本態様によれば、ハンマ部材の被叩打部に対する叩打に伴って、ハンマ部材からの打撃力が、被叩打部に対して、鉛直下方に向かって作用せしめられるようになる。それによって、杭本体が、一層確実に且つ容易に鉛直方向に打ち込まれ得ることとなる。
【００１４】
＜５＞  上記せる態様＜１＞乃至は態様＜４＞のうちの何れか一つにおいて、前記杭本体における前記水準器の固定部位よりも下側で且つ前記ハンマ部材の挿通部位よりも上側の部位に、第二の被叩打部が、側方に向かって突出する状態で位置固定に設けられて、前記ハンマ部材の上方への移動により、該第二の被叩打部が、該ハンマ部材にて叩打され得るようになっていること。
【００１５】
このような本態様では、例えば、杭本体が地面に打ち込まれた状態下において、ハンマ部材を上下動させたときの上方への移動に伴って、第二の被叩打部をハンマ部材にて叩打すれば、杭本体に対して、ハンマ部材からの打撃力が、上方に向かって作用せしめられ、、それによって、杭本体が、地面から容易に抜脱せしめられ（引き抜かれ）得ることとなる。従って、例えば、杭本体を両手で把持して、上方に引き抜くような多大な労力を要する作業を何等行うことなく、杭本体が、地面から、十分に小さな労力で、且つ極めて簡単に抜脱せしめられ得ることとなる。そして、その結果として、より優れた使用性が、有効に発揮され得るのである。
【発明を実施するための最良の形態】
【００１６】
以下、本発明を更に具体的に明らかにするために、本発明の実施の形態について、図面を参照しつつ、詳細に説明することとする。
【００１７】
先ず、図１には、本発明に従う土木建築用杭の一実施形態が、その正面形態において、概略的に示されている。かかる図１から明らかなように、本実施形態の土木建築用杭１０は、長手の杭本体１２を有している。
【００１８】
より具体的には、杭本体１２は、高炭素鋼等の鋼材を用いて形成された、所定長さを有する細長い丸棒材にて、構成されている。そして、この杭本体１２にあっては、その下端部が、下方に向かうに従って次第に小径となるテーパ状の外周面を有する先鋭部１４とされて、容易に地中に進入せしめられ得るようになっている。
【００１９】
また、そのような杭本体１２の上端部には、取付金具１６が、位置固定に設けられている。この取付金具１６は、図１及び図２に示されるように、杭本体１２の外径よりも大きな外径と所定の高さとを備えた円柱状の全体形状を有している。そして、その上部部位には、上端面において開口する、収容孔としての円形凹所１８が、水平面からなる底面２０を有して、同軸的に設けられている。また、かかる取付金具１６の中心部には、鉛直方向に真っ直ぐに延出して、下端面と円形凹所１８の底面２０とにおいてそれぞれ開口する挿通孔２２が、形成されている。そして、このような取付金具１６の挿通孔２２内に、杭本体１２の上端部が、ガタ無く挿通されて、それら取付金具１６と杭本体１２の上端部とが、同軸的に位置せしめられた状態下で、溶接等により固着せしめられているのである。
【００２０】
また、かかる取付金具１６の円形凹所１８内には、水準器２４が、取り付けられている。そして、図２及び図３から明らかな如く、ここでは、かかる水準器２４として、比較的に安価で且つ取付金具１６の円形凹所１８内に収容可能な小型の気泡式水準器が、用いられている。即ち、ここで用いられる水準器２４は、取付金具１６の円形凹所１８の内側形状に対応した片側有底円筒状の全体形状を呈するケーシング２６を有し、このケーシング２６の上部開口部が、透明な蓋体２８にて液密且つ気密に覆蓋されることにより、内部に、１個の気泡３０が浮遊する所定の液体が封入されて、構成されている。また、このケーシング２６の蓋体には、中心円３２と十字状の目盛り３４とが設けられている。
【００２１】
そして、そのような水準器２４が、取付金具１６の円形凹所１８内に、ケーシング２６の外周面を円形凹所１８の内周面に接触させ、且つ下面を円形凹所１８の水平な底面２０上に載置せしめるように挿入されて、水準器２４の全体が収容された状態で、接着剤等により、円形凹所１８の内周面や底面２０に接着されている。これによって、水準器２４が、取付金具１６の円形凹所１８内において、杭本体１２に対して同軸上で水平に且つ固定的に位置せしめられた状態で、かかる取付金具１６を介して、杭本体１２の上端部に固定されている。
【００２２】
かくして、本実施形態の杭１０にあっては、杭本体１２が、鉛直方向に延びるよう直立せしめられているときには、図３に実線で示されるように、水準器２４のケーシング２６内を浮遊する気泡３０が、蓋体に設けられた中心円３２の中心に位置せしめられる一方、杭本体１２が傾いた状態とされているときには、図３に二点鎖線で示される如く、気泡３０が、中心円３２からズレて位置せしめられるようになっている。つまり、水準器２４の気泡３０の位置によって、杭本体１２の鉛直度が容易に把握され得るように構成されているのである。
【００２３】
また、図１及び図２に示されるように、杭本体１２においては、取付金具１６の固定部位の直下の上部部位と、かかる部位よりも下方に所定寸法だけ離隔せしめられた中間部位とに対して、上側被叩打部３６と下側被叩打部３８とが、それぞれ、位置固定に設けられている。それら上側被叩打部３６と下側被叩打部３８は、何れも、比較的に厚い肉厚と、杭本体１２の径よりも所定寸法大きな外径とを有する金属円板からなっている。そして、それら各被叩打部３６，３８の中心部には、杭本体１２を挿通可能な挿通孔４０，４２が、上下方向（板厚方向）に貫通して、それぞれ設けられている。また、上側被叩打部３６においては、その下面が、水平な円環面からなる被叩打面４４とされており、更に、下側被叩打部３８にあっては、その上面が、水平な円環面からなる被叩打面４６とされている。そして、そのような上側被叩打部３６と下側被叩打部３８とが、挿通孔４０，４２内に、上記せる杭本体１２の上部部位と中間部位とを各々挿通せしめた状態で、それらの部位に対して溶接されること等により、固着せしめられている。
【００２４】
これによって、ここでは、上側被叩打部３６と下側被叩打部３８とが、杭本体１２の上部部位と中間部位とにおいて、側方に向かって所定寸法突出し且つ周方向に連続して延びるフランジ形態をもって固定されると共に、それら上側被叩打部３６の被叩打面４４と下側被叩打部３８の被叩打面４６とが、上下方向において所定距離を隔てて互いに対向せしめた状態、位置固定に配置されている。
【００２５】
そしてまた、本実施形態の杭１０においては、上側被叩打部３６と下側被叩打部３８との間に位置する杭本体１２部分が挿通部４８とされており、この挿通部４８に対して、ハンマ部材５０が、外挿されている。このハンマ部材５０は、杭本体１２の挿通部４８よりも十分に大きな外径と、かかる挿通部４８の長さ寸法よりも十分に低い高さとを有する略円柱状の金属ブロックからなり、杭本体１２を打ち込む際に一般に用いられるハンマや掛矢等と同程度の重量を有している。また、かかるハンマ部材５０の中心部には、杭本体１２の外径よりも一周り大きな内径を有する円形の貫通孔５２が、鉛直方向に真っ直ぐに延びるように形成されている。そして、この貫通孔５２内に、挿通部４８が遊挿せしめられており、以て、ハンマ部材５０が、杭本体１２の挿通部４８に対して、それに沿って上下動せしめられ得る状態で、外挿されているのである。
【００２６】
また、このようなハンマ部材５０においては、高さ方向の中間部が、把持部５４とされている。この把持部５４は、ハンマ部材５０を上下動させる際に、片手で把持されるのに適当な太さ（外径）と高さとを有している。更に、そのような把持部５４を間に挟んだ上端部と下端部は、把持部５４よりも所定寸法大径化された滑止め部５６，５６とされており、ハンマ部材５０を上下動させる際に、把持部５４を把持した手が、それらの滑止め部５６，５６に係合することで、滑止め効果が発揮され得るようになっている。そして、このハンマ部材５０の上端面と下端面とが、それぞれ、水平な円環面からなる上側叩打面５８と下側叩打面６０とされている。
【００２７】
かくして、ハンマ部材５０にあっては、作業者によって把持部５４が把持されて、上下に動かされることにより、杭本体１２の上部と中間部とに対して所定距離を隔てて固定された上側被叩打部３６と下側被叩打部３８との間を、杭本体１２の挿通部４８に沿って上下動せしめられ得るようになっている。そして、そのような上下動に際して、下方に移動せしめられた時に、下側叩打面６０にて、下側被叩打部３８の被叩打面４６を叩打し得るようになっている一方、上方に移動せしめられた時に、上側叩打面５８にて、上側被叩打部３６の被叩打面４４を叩打し得るように構成されているのである（図４参照）。
【００２８】
而して、かくの如き構造とされた本実施形態の土木建築用杭１０を地面に打ち込む際には、例えば、先ず、図１に示されるように、杭本体１２が、先鋭部１４において地面６２に突き刺されて、地面６２上に直立せしめられる。このとき、作業者が、水準器２４の気泡３０が中心円３２の中心に位置するように（図２参照）、杭本体１２の頭部（上端部）を前後方向や左右方向に動かすことによって、杭本体１２が鉛直方向に延出して、直立せしめられるように、杭本体１２の姿勢調整が行われる。
【００２９】
その後、ハンマ部材５０の把持部５４が作業者にて把持されて、図２に実線と二点鎖線で示される如く、ハンマ部材５０が上下動せしめられる。その際、特に、ハンマ部材５０が下方に移動せしめられたときに、下側被叩打部３８が、被叩打面４６において、ハンマ部材５０の下側叩打面６０にて、叩打される。そして、この叩打作業が連続的に行われて、ハンマ部材５０の下側被叩打部３８に対する叩打に伴って生ずる打撃力により、杭本体１２が、徐々に地中に打ち込まれる。また、この叩打作業が行われている間は、杭本体１２の姿勢が、鉛直方向に延出して、直立する状態に維持されているか否かが、水準器によって常時監視される。そして、杭本体１２が、鉛直方向に延出して、直立する姿勢が維持されたままで、所定の深さだけ打ち込まれたら、かかる叩打作業を終了して、杭本体１２の地面６２への打込み作業が完了せしめられる。
【００３０】
また、ここでは、所定の土木工事や建築工事の終了後に、杭本体１２を地面６２から抜脱せしめる（引き抜く）際には、例えば、ハンマ部材５０の把持部５４が、作業者にて再び把持されて、図４に実線と二点鎖線で示される如く、ハンマ部材５０が、再度上下動せしめられる。その際、特に、ハンマ部材５０が上方に移動せしめられたときに、上側被叩打部３６が、被叩打面４４において、ハンマ部材５０の上側叩打面５８にて、叩打される。そして、この叩打作業が連続的に行われて、ハンマ部材５０の上側被叩打部３６に対する叩打に伴って生ずる打撃力により、杭本体１２が、地面６２がら徐々に抜脱せしめられるようになる。
【００３１】
このように、本実施形態に係る土木建築用杭１０においては、杭本体１２の上端部に固定された水準器２４を監視しながら、地面６２への打込み作業が行われることによって、かかる打込み作業の開始から終了までの間、杭本体１２の姿勢が、地面６２上において鉛直方向に延びるように、正確に直立させた状態において、安定的に維持され得る。そして、ハンマや掛矢等を用いて、杭本体１２の頭部が叩打されることにより地面６２に打ち込まれる従来品とは異なって、杭本体１２を叩打するための道具や、杭本体１２の鉛直な直立状態の姿勢を維持させるための特別な道具を何等用いることなく、単に、ハンマ部材５０を上下動させることによって、杭本体１２が、鉛直な直立状態の姿勢を維持したまま、容易に且つ確実に地面６２に打ち込まれ得る。
【００３２】
従って、かくの如き土木建築用杭１０を用いれば、土木工事や建築工事等の実施に際して、鉛直に打ち込まれた杭１０を基準として、鉛直線や水平線を得る作業が、高い精度をもって、極めて容易に行われ得ることとなるのである。
【００３３】
また、本実施形態にあっては、杭本体１２が地面６２に打ち込まれた状態下において、ハンマ部材５０を上下動させて、上側被叩打部３６をハンマ部材５０にて叩打することにより、杭本体１２が、地面６２から徐々に抜脱せしめられるようになっている。そのため、例えば、杭本体１２を両手で把持して、上方に引き抜くような多大な労力を要する作業を何等行うことなく、杭本体１２が、地面６２から、十分に小さな労力で、且つ極めて簡単に抜脱せしめられ得ることとなる。従って、より優れた使用性が、有効に発揮され得るのである。
【００３４】
さらに、本実施形態の杭１０においては、水準器２４として、安価で且つ小型の気泡式水準器が用いられているところから、杭本体１２の上端部への水準器２４の固定によって、杭１０の製造コストが高騰することや、杭１０全体が大型化するようなことが、可及的に防止乃至は抑制され得るといった利点がある。
【００３５】
更にまた、かかる杭１０では、杭本体１２の上端部に取付金具１６が固定され、この取付金具１６の円形凹所１８内に、水準器２４の全体が収容されて、固定されている。そのため、そのような取付金具１６が、水準器２４の保護部材として機能せしめられて、例えば、杭本体１２を地面６２に打ち込む際や運搬する際等に、地面６２上に倒れたり、落下したり、或いは杭本体１２同士が接触したりすることによって生ずる衝撃によって、水準器２４が破損せしめられるようなことが、未然に防止され得る。
【００３６】
また、かかる杭１０にあっては、ハンマ部材５０の下側叩打面６０と、下側被叩打部３８の被叩打面４６が、それぞれ水平面にて構成されている。それ故、ハンマ部材５０を上下動させることで、下側被叩打部３８をハンマ部材５０にて叩打して、杭本体１２を地面６２に打ち込む際に、ハンマ部材５０から、下側被叩打部３８に対して、打撃力が、鉛直下方に向かって作用せしめられるようになり、それによって、杭本体１２が、より正確に且つ容易に鉛直方向に打ち込まれ得ることとなる。
【００３７】
さらに、本実施形態の杭１０においては、ハンマ部材５０の上側叩打面５８と、上側被叩打部３６の被叩打面４４も、それぞれ水平面にて構成されている。そのため、杭本体１２が地面６２に打ち込まれた状態下で、ハンマ部材５０を上下動させることにより、上側被叩打部３６をハンマ部材５０にて叩打した際に、ハンマ部材５０から、上側被叩打部３６に対して、打撃力が、鉛直上方に向かって作用せしめられるようになる。そして、それにより、杭本体１２が地面６２から抜脱せしめられる際に、杭本体１２の地盤内に進入せしめられた部分の地盤に対する摩擦抵抗が可及的に小さくされ、以て、杭本体１２が、地面６２から、より容易に抜脱せしめられ得ることとなる。
【００３８】
以上、本発明の具体的な構成について詳述してきたが、これはあくまでも例示に過ぎないのであって、本発明は、上記の記載によって、何等の制約をも受けるものではない。
【００３９】
例えば、杭本体１２の材質は、例示されたものに、特に限定されるものではなく、杭本体１２が、高炭素鋼以外の金属材料や高剛性の合成樹脂材料、或いは木質材料等にて構成されていても、何等差し支えない。
【００４０】
また、杭本体１２の上端部に固定される水準器２４は、必ずしも気泡式水準器である必要はなく、その他、公知の水準器の中から、例えば大きさや経済性等を考慮した上で、適当なものが、適宜に選択されて、使用されることとなる。
【００４１】
さらに、そのような水準器２４を収容する取付金具１６は、本発明において必須のものではないものの、全体の形状は勿論、杭本体１２の上端部に対する固定構造や、水準器２４を取り付けるための構造についても、例示のものに、何等限定されるものではない。
【００４２】
更にまた、上側被叩打部３６と下側被叩打部３８にあっても、杭本体１２に対して、側方に向かって突出する状態で位置固定に設けられておれば、全体形状や杭本体１２に対する固定構造が、特に限定されるものではない。即ち、例えば、各被叩打部３６，３８を、単純な棒材や板材等にて構成して、杭本体１２と交差するように位置せしめた状態で、杭本体１２に固定したり、或いは様々な形状を有するブロック体にて各被叩打部３６，３８を構成し、これを杭本体１２に固定しても良い。
【００４３】
また、そのような各被叩打部３６，３８の材質も、ハンマ部材５０の叩打による打撃力が十分に受け止められ得るものであれば、如何なる材質であっても良い。
【００４４】
なお、それら上側被叩打部３６と下側被叩打部３８のうち、上側被叩打部３６は、本発明において、必須のものではない。
【００４５】
さらに、ハンマ部材５０の材質や全体形状も、特に限定されるものではない。そして、例えば、このハンマ部材５０に対して、把持が容易なハンドル部を設けたり、或いは非使用時におけるハンマ部材５０の無用な上下動を阻止するストッパ機構を、ハンマ部材５０や杭本体１２に対して、それと一体に或いは別体にて設けたりすることも出来る。
【００４６】
加えて、本発明に従う構造を有する土木建築用杭は、先に例示せる如く使用される他、土木工事や建築工事等において鉛直方向や水平方向に延びる基準線等を得る際に、好適に使用され得る。
【００４７】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【００４８】
【図１】本発明に従う構造を有する土木建築用杭の一例を示す正面説明図である。
【図２】図１における部分拡大斜視説明図である。
【図３】図１に示される土木建築用杭の平面形態を拡大して示す説明図である。
【図４】図１に示される土木建築用杭の使用状態の一例を示す、図２に対応する説明図であって、ハンマ部材を上下動させて、上側被叩打部を叩打することにより、地面に打ち込まれた杭本体を抜脱している状態を示している。
【００４９】
１０  土木建築用杭                    １２  杭本体
１６  取付金具                        ２４  水準器
３６  上側被叩打部                    ３８  下側被叩打部
４４，４６  被叩打面                  ５０  ハンマ部材
５２  貫通孔                          ５８  上側叩打面
６０  下側叩打面
【図１】
2007077659.tif 000003
【図２】
2007077659.tif 000004
【図３】
2007077659.tif 000005
【図４】
2007077659.tif 000006